(57)【要約】【課題】至って簡素であるため活動的、行動的な場合にも着用でき、風通しが良く熱こもりがなく、しかも、冷暖ボトルの取付個所の選択に制約がなく、体形を選ばない。そのため身体を全体的に冷却できるよう効率的なクールポイントに冷暖ボトルを設定しやすい身体冷暖具を安価に提供することを課題とした。【解決手段】少なくとも１本の着用ベルトからなり風通し良く透ける被着具であって、該被着具には、着用ベルトに沿って移動調整可能であって、冷暖ボトルが着脱される装填保持装置を設けてなることを特徴とする。【選択図】    図１
2020056143.tif 000002
【特許請求の範囲】
【請求項１】
少なくとも１本の着用ベルトからなり風通し良く透ける被着具であって、該被着具には、着用ベルトに沿って移動調整可能であって、冷暖ボトルが着脱される装填保持装置を設けてなることを特徴とする身体冷暖具。
【請求項２】
両端を締結するベルト締め装置付きである着用ベルトにおいて、その着用ベルトには、冷暖ボトルの装填保持装置が首筋当り又は脇下当りに位置させ得るよう調整可能であることを特徴とする請求項１記載の身体冷暖具。
【請求項３】
装填保持装置は、着用ベルトに対して、一対が単位となる複数においてゴム質の輪材を掛け通して輪材が移動可能で、且つ、冷暖ボトルを一対の輪材で締め付けることにより保持が可能であることを特徴とする請求項1又は2記載の身体冷暖具。
【請求項４】
装填保持装置は、冷暖ボトルを挿入する収納袋付きであって、収納袋に一対の輪材が嵌るとともに、輪材と収納袋との間に着用ベルトが通しになっていることにより装填保持装置が位置調整可能であることを特徴とする請求項１又は２記載の身体冷暖具。
【請求項５】
装填保持装置は、冷暖ボトルを挿入する収納袋付きであって、収納袋に一対のベルト通しを設けることによって、装填保持装置が着用ベルトに沿って位置調整可能であることを特徴とする請求項１又は２記載の身体冷暖具。
【請求項６】
着用ベルトは、幅帯が循環するようなゴム輪形ベルトであって、パンダナ等のスタイル表現となるように、サンバイザーまたはキャップを介して若しくは直接的に、頭部に冠するようになし、冷暖ボトルの取付けにつき冷暖ボトルの位置調整可能に装填保持装置が構成されていることを特徴とする請求項１記載の身体冷暖具。
【発明の詳細な説明】
【技術分野】
【０００１】
この発明は、例えば熱中症対策として、身体を冷やすために、ペットボトル等と称されるような飲用ボトル（この発明では冷暖ボトルということにする）に水を充填した状態で身に触れて着用する身体冷暖具に関する。
なお、熱中症対策にはボトルに冷水等が充填されるが、温水等に替えて、放熱による保温（冷え予防）対策としても利用できるものである。
【背景技術】
【０００２】
今年は長期にわたる厳しい焦熱真夏日のため、多数の熱中症患者が続出し病院への搬送もむなしく命をなくされる人も多かったが、厳しい真夏日は今年に限られることではないとの予測であり、決して安全対策を怠ってはならない。
【０００３】
従来、安全対策として、特許文献１によるごとく、形材の短片で構成される空気枕の底部に冷水ボトルが入るスペースを設けた提案がなされる。これによれば、冷水ボトルを挿入することで、形材の空気層がそれと熱交換を行うことから、枕全体が冷えた状態になるという。
【０００４】
また、特許文献２の発明は、身体に着用するベスト状の被着体に、冷媒ボトルの収納ポケットと、それから冷媒が配給されるよう蛇行状に曲がりくねった冷却チューブとが装備され、着衣の全体に冷媒の効力が及ぶようになっている。
【先行技術文献】
【特許文献】
【０００５】
【特許文献１】特開２００５−０８７６９３号公報
【特許文献２】特開２０１６−１５１０８５号公報
【発明の概要】
【発明が解決しようとする課題】
【０００６】
従来の熱中症対策用品によれば、上記のように頭または上半身というように部分的にまたは広範囲を保冷するものであったが、特に熱中症の場合、体全体を冷やすことが肝要であるにもかかわらず、枕では冷却が弱いために頭だけの部分的冷却となり全体的には不十分であった。しかも、立ったままには着用できなく、例えば、町内会の行事（スポーツ観戦）、野外の講習（活動）等にというように活動的な場合に使用できないという問題があった。また冷媒ボトルを使用するときは（特許文献２）、衣類で構成されるベスト状の広い被覆具の着用となるため、それに冷却チューブが広範に配設されていても、被覆熱に相殺される結果、熱こもりが生じるときがあり、必ずしも十分な冷却効果が得られなく、しかも、製造では冷却チューブの配置、接続等に多くの部品や細かな取付け手数を要するため、極めてコスト高となるという問題もあった。
【０００７】
この発明は、上記のような実情に鑑みて、至って簡素であるため活動的、行動的な場合にも着用でき、風通しが良く熱こもりがなく、しかも、冷暖ボトルの取付個所の選択に制約がなく、体形を選ばない。そのため身体を全体的に冷却できるよう効率的なクールポイントに冷暖ボトルを設定しやすい身体冷暖具を安価に提供することを課題とした。なお、具体的にここに「クールポイント」とは多量の血流のある脇下や首筋などをいう。
【課題を解決するための手段】
【０００８】
上記の課題を解決するために、この発明は、少なくとも１本の着用ベルトからなり風通し良く透ける被着具であって、該被着具には、着用ベルトに沿って移動調整可能であって、冷暖ボトルが着脱される装填保持装置を設けてなることを特徴とする身体冷暖具を提供する。
【０００９】
身体冷暖具を上記のように構成したから、これを身体に着用し、装填保持装置を首筋や脇下等に移動させてそこに冷暖ボトルを身肌に触れさせて又は近づけて取り付けることができ、立ったままでもその状態を保持できる。また、身体に着用しているので、その場でいつでもボトル内の水で水分補給をなすこともできる。
【発明の効果】
【００１０】
以上説明したように、この発明の身体冷暖具によれば、至って簡素で立ったままでも身体に保持できるため、活動的、行動的に着用でき、しかも風通しが良く熱こもりがなく、また、冷暖ボトルの取付け個所の選択に制約がなく、そのため身体を全体的に冷却できる効率的な言わばクールポイントに冷暖ボトルを設定しやすく、効率的に適切な冷暖により快適に身体を全体的に加温、加冷でき、人を選ばずさらにコスト安に製造できるという優れた効果がある。
【図面の簡単な説明】
【００１１】
【図１】この発明の身体冷暖具について首筋当りの冷暖ボトルとともに要部を示す斜視図である。
【図２】同冷暖ボトルの首筋当りの着用状態を示す斜視図であって、且つ脇の下で冷暖ボトルを使用する個所を二点鎖線で示す説明図である。
【図３】同身体冷暖具において脇の下当りに着用する一対の冷暖ボトルの背面図である。
【図４】他の実施例の装填保持装置を示す斜視図である。
【図５】図４のＡ-Ａ線矢視の断面図である。
【図６】他の実施例として網地の収納袋を使用した装填保持装置を示す斜視図である。
【図７】図６のＢ-Ｂ線矢視の一部拡大断面図である。
【図８】さらに他の実施例を示す装填保持装置の斜視図である。
【図９】バンダナ風のスタイル表現になるように試みた身体冷暖具の着用使用状態を示す斜視図である。
【図１０】別のバンダナ風のスタイル表現となるように試みた身体冷暖具の着用状態を示す斜視図である。
【図１１】さらに別のバンダナ風のスタイル表現となるように試みた身体冷暖具の着用状態を示す斜視図である。
【発明を実施するための形態】
【００１２】
次に、この発明の実施例について説明する。ここに「冷暖ボトル」とは、水や湯を注入できる筒形のボトルであって、水の冷凍化や加熱化が可能にプラスチックや金属等で製造される。
【実施例】
【００１３】
図1及び図２は一実施例を示したもので、その身体冷暖具Pは、１本の着用ベルト１からなる被着具２と、着用ベルト１に冷暖ボトル３を取り付ける装填保持装置５と、着用ベルト１を無端に閉じるベルト締め装置７（バックル、フック等）とからなる。なお、ベルト締め装置７としてのバックルは、図面上に簡略に表現したが、その種類や形態は様々であるものとする。
【００１４】
装填保持装置５は、着用ベルト１にゴムからなる輪材６，６が対において備えてなり、輪材６は、冷暖ボトル３が軽く締められる程度に嵌る大きさであって、着用ベルト１がゴム輪材６と冷暖ボトル３との間を通しに摺動する構造によって、ゴム輪材６，６とともに冷暖ボトル３（装填保持装置５）が着用ベルト１に沿って移動する。
【００１５】
図２は、首筋に冷暖ボトル３を当てた着用状態を示したもので、冷暖ボトル３にゴムの輪材６，６が嵌った両側で着用ベルト１が肩に掛かっており、締め方としては、両側着用ベルト１a，１aを前から後ろに回して締め装置７を後ろ手で連結する。また、同図においては、脇の下での冷暖ボトル３，３の使用について二点鎖線でその位置を示す。
【００１６】
バンド締め装置７は、この場合、雌金具７aと雄金具７ｂとの結合によりワンタッチで連結するものが適切であるが、マジックテープ（登録商標）と称されるベルベット式ファスナーテープによるものであってもよい。着用ベルト１には、長さを伸縮できるように、調整金具を設けることもある。
【００１７】
また、着用ベルト１には、両脇下当りに冷暖ボトル３，３を設けることもあるが（図２、図３）、首筋や脇の下は血流が多量に流動するクールポイントであるので、ここを冷やすと殊に、熱中症対策として効率的に成果を上げることができる。
【００１８】
輪材６，６は、ゴム、プラスチック、布、皮革等によって作られるもので、両方を一体にする連結片１０を設けると都合が良い（図４、図５）。さらに、連結片１０を着用ベルト１が通し可能に中空１３に形成することもある（図６、図７）。同図の場合、蟻溝形の中空にした。
【００１９】
冷暖ボトル３には、肌に直熱を避けるために収納袋８が被覆される場合がある（図６、図７）。同図の場合、網の収納袋８の場合を示している。また、輪材の代わりに収納袋８に一対のベルト通し１５，１5を設けることもある（図８）。
【００２０】
図９ないし図１１は、バンダナ風スタイルとして頭に被着し、首筋を冷却するようにした実施例を示す。いずれの場合も、冷暖ボトル３が取り付けられる着用ベルト１が帯幅のゴム輪であって、その輪型が頭１７に被着する場合（図９）、サンバイザー１９に被着する場合（図１０）、キャップ２１に被着する場合（図１１）として説明する。
【００２１】
図９は、頭に被着する輪形ゴムの着用ベルト１が、冷暖ボトル３に嵌る輪材６，６と摺動可能に連結したもので（図６、図７参照）、両輪材６，６の間にはゴムの着用ベルト１の通る中空１３を設けることで、ボトル３の位置を変え得る装填保持装置５が構成される。これで冷暖ボトル３の首筋での位置の決定に微調整が可能である。
【００２２】
図１０は、頭に被着するサンバイザー（日よけ帽）１９について実施される。サンバイザー１９は頭回り１９ａに日よけ鍔１９ｂが突設されたもので、ゴム輪形の着用ベルト１を被着してこれに冷暖ボトル３を取り付けた。これには、サンバイザー１９に対するゴム輪形ベルト１の位置を二つ折りファスナーテープ２１で挟んで固定できるようにした（図1０の矢印参照）。
【００２３】
図１１は、キャップ２９の鍔３１にゴム輪形ベルト１が掛かるようにしてボトル３の移動を可能にしたもので、これでボトル３の装填保持装置５が構成される。冷暖ボトル３は袋３３に入れられており、袋３３は着用ベルト１に取り付けられている。
【符号の説明】
【００２４】
Ｐ  身体冷暖具
１  着用ベルト
２  被着具
３  冷暖ボトル
５  装填保持装置
６  輪材
８  収納袋
１０  連結片
１３  中空
１５  ベルト通し
【図１】
2020056143.tif 000003
【図２】
2020056143.tif 000004
【図３】
2020056143.tif 000005
【図４】
2020056143.tif 000006
【図５】
2020056143.tif 000007
【図６】
2020056143.tif 000008
【図７】
2020056143.tif 000009
【図８】
2020056143.tif 000010
【図９】
2020056143.tif 000011
【図１０】
2020056143.tif 000012
【図１１】
2020056143.tif 000013
【手続補正書】
【提出日】平成31年4月26日(2019.4.26)
【手続補正１】
【補正対象書類名】明細書
【補正対象項目名】００２３
【補正方法】変更
【補正の内容】
【００２３】
図１１は、キャップ２９（ヘルメットも含む）の鍔３１にゴム輪形ベルト１が掛かるようにしてボトル３の移動を可能にしたもので、これでボトル３の装填保持装置５が構成される。冷暖ボトル３は袋３３に入れられており、袋３３は着用ベルト１に取り付けられている。